【事件の表示】
　特許第３０３０２２５号「吸収冷凍機の運転停止方法」の請求項１ないし４に係る特許に対する特許異議の申立てについて、次のとおり決定する。
【結　論】
　訂正を認める。
　本件特許異議の申立てを却下する。
【理　由】
１．手続の経緯
　本件特許第３０３０２２５号の出願は、平成７年２月２０日に出願され、平成１１年１２月１０日に明細書の補正がなされ、平成１２年２月４日に請求項１〜６に係る発明について設定登録がなされたものであり、その後、本件請求項１〜４に係る発明の特許に対して、特許異議の申立がなされ、これに基づいて、取消理由通知がなされ、特許権者よりその指定期間内である平成１３年３月１６日に明細書の訂正請求がなされたものである。
　
２．訂正の適否
（１）訂正事項
　本件明細書につき、訂正請求書に添付された訂正明細書に記載される次のａ）〜ｌ）の訂正を求めるものである。
　
ａ）特許請求の範囲の請求項１〜４の記載を削除する。
　
ｂ）特許請求の範囲の請求項５，６の記載を、それぞれ、請求項１，２のものに繰り上げる。
　
ｃ）段落番号【０００７】〜【００１０】の記載を削除する。
　
ｄ）段落番号【００１１】の記載、
　「【００１１】　吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止するようにした第５の構成の運転停止方法と、」
　を、
　「【００１１】　吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止するようにした第１の構成の運転停止方法と、」
　と訂正する。
　
ｅ）段落番号【００１２】の記載、
　「【００１２】　前記第５の構成の運転停止方法において、吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止するようにした第６の構成の運転停止方法と、を提供することにより、前記従来技術の課題を解決するものである。」
　を、　　　　　　　　　　　　　　　　　　　　
　「【００１２】　前記第１の構成の運転停止方法において、吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止するようにした第２の構成の運転停止方法と、を提供することにより、前記従来技術の課題を解決するものである。」
　と訂正する。
　
ｆ）段落番号【００１４】の記載、
　「【００１４】　また、吸収冷凍機の運転停止信号が入力されてからの経過時間を併用して、各ポンプの停止を制御する構成とした請求項２・４・６の発明においては、再生器の吸収液温度を監視する手段に異常を生じた場合にも、運転停止信号入力後の経過時間を計時することにより、稀釈運転を確実に終了させることができる。」
　を、
　「【００１４】　そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。」
　と訂正する。
　
ｇ）段落番号【００１５】の記載、
　「【００１５】　また、請求項５・６の発明においては、吸収液ポンプが冷却水ポンプおよび冷媒ポンプの停止温度より低い温度で停止するため、冷却水ポンプおよび冷媒ポンプの消費エネルギーを減少しながら、より確実な稀釈運転効果がある。」
　を、
　「【００１５】　また、吸収冷凍機の運転停止信号が入力されてからの経過時間を併用して、各ポンプの停止を制御する構成とした請求項２の発明においては、再生器の吸収液温度を監視する手段に異常を生じた場合にも、運転停止信号入力後の経過時間を計時することにより、稀釈運転を確実に終了させることができる。」
　と訂正する。
　
ｈ）段落番号【００３１】の記載、
　「【００３１】　そして、温度検出器３１が検出する高温再生器温度Ｔが、第１の所定温度Ｔ１下に下がると、制御装置３２は冷媒ポンプ１９および冷却水ポンプ２９へ停止信号を出力し、それぞれのポンプ１９および２９は運転を停止する。」
　を、　　　　　　　　　
　「【００３１】　そして、温度検出器３１が検出する高温再生器温度Ｔが、第１の所定温度Ｔ１以下に下がると、制御装置３２は冷媒ポンプ１９および冷却水ポンプ２９へ停止信号を出力し、それぞれのポンプ１９および２９は運転を停止する。」
　と訂正する。
　
ｉ）段落番号【００３６】の記載、
　「【００３６】　なお、温度検出器３１に不都合が生じ、温度検出器３１が検出する高温再生器温度Ｔが第１の所定温度Ｔ１以下にならなかった場合にも、第１の所定時間ｔ１が経過すると、制御装置３２は冷媒ポンプ１９および冷却水ポンプ２９へ停止信号を出力してそれぞれのポンプ１９および２９の運転を停止し、高温再生器温度Ｔが第２の所定温度Ｔ２以下にならない場合でも、第２の所定時間ｔ２が経過すると、吸収液ポンプ１５へ停止信号を出力してこれを停止させるので、稀釈運転を確実に実行して運転を終了することができる。」
　を、　　　　　　　　　　
　「【００３６】　なお、温度検出器３１に不都合が生じ、温度検出器３１が検出する高温再生器温度Ｔが第１の所定温度Ｔ１以下にならなかった場合にも、第１の所定時間ｔ２が経過すると、制御装置３２は冷媒ポンプ１９および冷却水ポンプ２９へ停止信号を出力してそれぞれのポンプ１９および２９の運転を停止し、高温再生器温度Ｔが第２の所定温度Ｔ２以下にならない場合でも、第２の所定時間ｔ４が経過すると、吸収液ポンプ１５へ停止信号を出力してこれを停止させるので、稀釈運転を確実に実行して運転を終了することができる。」
　と訂正する。
　
ｊ）段落番号【００３９】の記載、
　「【００３９】　また、吸収冷凍機の運転停止信号が入力されてからの経過時間を併用して、各ポンプの停止を制御する構成とした請求項２・４・６の発明においては、再生器の吸収液温度を監視する手段に異常を生じた場合にも、運転停止信号入力後の経過時間を計時することにより、稀釈運転を確実に終了させることができる。」
　を、　　　　　　　　　　　　　　　　　　　　　　　　　　
　「【００３９】　そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。」
　と訂正する。
　
ｋ）段落番号【００４０】の記載、
　「【００４０】　また、請求項５・６の発明においては、吸収液ポンプが冷却水ポンプおよび冷媒ポンプの停止温度より低い温度で停止するため、冷却水ポンプおよび冷媒ポンプの消費エネルギーを減少しながら、より確実な稀釈運転効果がある。」
　を、
　「【００４０】　また、吸収冷凍機の運転停止信号が入力されてからの経過時間を併用して、各ポンプの停止を制御する構成とした請求項２の発明においては、再生器の吸収液温度を監視する手段に異常を生じた場合にも、運転停止信号入力後の経過時間を計時することにより、稀釈運転を確実に終了させることができる。」
　と訂正する。
　
ｌ）段落番号【００１１】〜【００４０】は、段落番号【０００７】〜【００１０】の記載の削除に伴って、番号の繰り上げ訂正をする。
　
（２）訂正の目的の適否
　上記ａ）の訂正は、特許異議の申し立てがなされている請求項１〜４を削除するものであって、特許請求の範囲の減縮を目的とするものであり、また、上記ｂ）の訂正は、請求項１〜４の削除に伴い、請求項の番号を繰り上げるものであって、特許請求の範囲の明瞭でない記載の釈明を目的とするものである。
　次に、上記ｃ）〜ｇ）、ｊ）〜ｌ）の訂正は、請求項１〜４の削除に伴い、発明の詳細な説明の欄の記載を整合させるものであって、発明の詳細な説明の欄の明瞭でない記載の釈明を目的とするものであり、さらに、上記ｈ）、ｉ）の訂正は、誤記の訂正を目的とするものである。
　
（３）新規事項の有無及び拡張・変更の存否
　上記ａ）〜ｌ）の訂正は、本件明細書の記載の範囲内でなされるものであって、新規事項の追加に該当せず、また、実質的に特許請求の範囲を拡張又は変更するものでもない。
　
（４）独立特許要件について
　訂正請求書の請求項１，２に係る発明は、その特許請求の範囲の請求項１，２に記載されたとおりの以下のものであり、これらは特許出願の際独立して特許を受けることができるものである。
　
「【請求項１】　吸収器・再生器・凝縮器・蒸発器などを配管接続して冷凍サイクルを構成する吸収冷凍機の運転停止方法であって、吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止することを特徴とする吸収冷凍機の運転停止方法。
　
【請求項２】　吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止することを特徴とする請求項１記載の吸収冷凍機の運転停止方法。」
　
（５）訂正の適否の結論　
　上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立について
　特許異議申立時における請求項１〜４に係る発明は、前記したとおり、平成１３年３月１６日付け訂正請求により削除されたものである。
　これにより、本件特許異議申立事件の申立の対象が存在しないので、この特許異議の申立は、不適法な申立であって、その補正をすることができないものである。
　したがって、本件特許異議申立は、特許法第１２０条の６第１項で準用する第１３５条の規定により却下すべきものである。
　よって、結論のとおり決定する。
【異議決定日】
平成１３年４月９日（２００１．４．９）
【訂正の要旨】
訂正の要旨
　１）訂正事項ａ
　特許請求の範囲の減縮を目的として、請求項１〜４を削除すると共に、請求項５及び６の記載、
　「【請求項５】　吸収器・再生器・凝縮器・蒸発器などを配管接続して冷凍サイクルを構成する吸収冷凍機の運転停止方法であって、吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止することを特徴とする吸収冷凍機の運転停止方法。
　【請求項６】　吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止することを特徴とする請求項５記載の吸収冷凍機の運転停止方法。」
　を、
　「【請求項
１
　【請求項
２
１
　と訂正する。
　２）訂正事項ｂ
　段落番号【０００７】〜【００１０】の記載を削除する。
　３）訂正事項ｃ
　段落番号【００１１】の記載、
　「　【００１１】
　吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止するようにした第５の構成の運転停止方法と、」
　を、
　「　【００１１】
　吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止するようにした第
１
　と訂正する。
　４）訂正事項ｄ
　段落番号【００１２】の記載、
　「　【００１２】
　前記第５の構成の運転停止方法において、吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止するようにした第６の構成の運転停止方法と、
　を提供することにより、前記従来技術の課題を解決するものである。」
　を、
　「　【００１２】
　前記第
１
　を提供することにより、前記従来技術の課題を解決するものである。」
　と訂正する。
　５）訂正事項ｅ
　段落番号【００１４】の記載、
　「　【００１４】
　また、吸収冷凍機の運転停止信号が入力されてからの経過時間を併用して、各ポンプの停止を制御する構成とした請求項２・４・６の発明においては、再生器の吸収液温度を監視する手段に異常を生じた場合にも、運転停止信号入力後の経過時間を計時することにより、稀釈運転を確実に終了させることができる。」
　を、
　「　【００１４】
　
そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。
　と訂正する。
　６）訂正事項ｆ
　段落番号【００１５】の記載、
　「　【００１５】
　また、請求項５・６の発明においては、吸収液ポンプが冷却水ポンプおよび冷媒ポンプの停止温度より低い温度で停止するため、冷却水ポンプおよび冷媒ポンプの消費エネルギーを減少しながら、より確実な稀釈運転効果がある。」
　を、
　「　【００１５】
　
また、吸収冷凍機の運転停止信号が入力されてからの経過時間を併用して、各ポンプの停止を制御する構成とした請求項２の発明においては、再生器の吸収液温度を監視する手段に異常を生じた場合にも、運転停止信号入力後の経過時間を計時することにより、稀釈運転を確実に終了させることができる。
　と訂正する。
　７）訂正事項ｇ
　段落番号【００３１】の記載、
　「　【００３１】
　そして、温度検出器３１が検出する高温再生器温度Ｔが、第１の所定温度Ｔ１下に下がると、制御装置３２は冷媒ポンプ１９および冷却水ポンプ２９へ停止信号を出力し、それぞれのポンプ１９および２９は運転を停止する。」
　を、
　「　【００３１】
　そして、温度検出器３１が検出する高温再生器温度Ｔが、第１の所定温度Ｔ１
以下
　と訂正する。
　８）訂正事項ｈ
　段落番号【００３６】の記載、
　「　【００３６】
　なお、温度検出器３１に不都合が生じ、温度検出器３１が検出する高温再生器温度Ｔが第１の所定温度Ｔ１以下にならなかった場合にも、第１の所定時間ｔ１が経過すると、制御装置３２は冷媒ポンプ１９および冷却水ポンプ２９へ停止信号を出力してそれぞれのポンプ１９および２９の運転を停止し、高温再生器温度Ｔが第２の所定温度Ｔ２以下にならない場合でも、第２の所定時間ｔ２が経過すると、吸収液ポンプ１５へ停止信号を出力してこれを停止させるので、稀釈運転を確実に実行して運転を終了することができる。」
　を、
　「　【００３６】
　なお、温度検出器３１に不都合が生じ、温度検出器３１が検出する高温再生器温度Ｔが第１の所定温度Ｔ１以下にならなかった場合にも、第１の所定時間ｔ
２
４
　と訂正する。
　９）訂正事項ｉ
　段落番号【００３９】の記載、
　「　【００３９】
　また、吸収冷凍機の運転停止信号が入力されてからの経過時間を併用して、各ポンプの停止を制御する構成とした請求項２・４・６の発明においては、再生器の吸収液温度を監視する手段に異常を生じた場合にも、運転停止信号入力後の経過時間を計時することにより、稀釈運転を確実に終了させることができる。」
　を、
　「　【００３９】
　
そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。
　と訂正する。
　１０）訂正事項ｊ
　段落番号【００４０】の記載、
　「　【００４０】
　また、請求項５・６の発明においては、吸収液ポンプが冷却水ポンプおよび冷媒ポンプの停止温度より低い温度で停止するため、冷却水ポンプおよび冷媒ポンプの消費エネルギーを減少しながら、より確実な稀釈運転効果がある。」
　を、
　「　【００４０】
　
また、吸収冷凍機の運転停止信号が入力されてからの経過時間を併用して、各ポンプの停止を制御する構成とした請求項２の発明においては再生器の吸収液温度を監視する手段に異常を生じた場合にも、運転停止信号入力後の経過時間を計時することにより、稀釈運転を確実に終了させることができる。
　と訂正する。
　１１）訂正事項ｋ
　段落番号【００１１】〜【００４０】は、段落番号【０００７】〜【００１０】の記載の削除に伴って、番号の繰り上げ訂正をする。
（５４）【発明の名称】
吸収冷凍機の運転停止方法
（５７）【特許請求の範囲】
　【請求項１】　吸収器・再生器・凝縮器・蒸発器などを配管接続して冷凍サイクルを構成する吸収冷凍機の運転停止方法であって、吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止することを特徴とする吸収冷凍機の運転停止方法。
　【請求項２】　吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止することを特徴とする請求項１記載の吸収冷凍機の運転停止方法。
【発明の詳細な説明】
　【０００１】
　【産業上の利用分野】
　本発明は吸収冷凍機に関するものであり、特に詳しくは運転を停止する際の制御方法に関する。
　【０００２】
　【従来の技術】
　例えば特開昭６１−３６６６１号公報には、高温再生器における加熱を停止してから冷媒ポンプと吸収液ポンプとをタイマによって所定時間だけを運転し、吸収液の結晶防止のために稀釈運転を行う運転停止技術が開示されている。
　【０００３】
　【発明が解決しようとする課題】
　しかし、上記従来の技術の場合は、所定の長さの稀釈運転時間をタイマ設定しただけであるため、吸収冷凍機の濃吸収液の濃度が低く、稀釈運転時間が短くて済む場合にも、冷媒ポンプおよび吸収液ポンプは所定時間だけ運転されるので、運転に無駄が生じると云う問題点があった。
　【０００４】
　また、吸収冷凍機に設けられた冷却水ポンプおよび負荷配管の負荷ポンプを、稀釈運転時にタイマにより所定時間運転する上記の制御方法は、これらのポンプ容量が大きいため、稀釈運転が短くて済む場合にも各ポンプの運転により大きな電力が無駄に消費されると云う問題点もあった。
　【０００５】
　このため、稀釈運転時の各ポンプの無駄な運転を抑え、電力消費を削減して運転コスト下げることのできる運転停止方法の考案が期待されていた。
　【０００６】
　【課題を解決するための手段】
　本発明は、上記従来技術の課題を解決するため、吸収器・再生器・凝縮器・蒸発器などを配管接続して冷凍サイクルを構成する吸収冷凍機の運転停止方法において、
　【０００７】
　吸収冷凍機の運転停止信号が入力されてから再生器の吸収液温度を監視し、この吸収液温度が再生器における加熱の停止に伴って第１の所定温度以下に下がった時、吸収器および凝縮器に冷却水を供給する冷却水ポンプと、冷媒を循環させる冷媒ポンプの運転を停止し、第１の所定温度より低い第２の所定温度以下に下がった時、吸収液を循環させる吸収液ポンプの運転を停止するようにした第１の構成の運転停止方法と、
　【０００８】
　前記第１の構成の運転停止方法において、吸収冷凍機の運転停止信号が入力されてから第１の所定時間が経過した時には、再生器の吸収液温度が第１の所定温度以下に下がらなくても、冷却水ポンプと冷媒ポンプの運転を停止し、第１の所定時間より長い第２の所定時間が経過した時には、再生器の吸収液温度が第２の所定温度以下に下がらなくても、吸収液ポンプの運転を停止するようにした第２の構成の運転停止方法と、
　を提供することにより、前記従来技術の課題を解決するものである。
　【０００９】
　【作用】
　吸収冷凍機の運転を停止する際に、各ポンプは再生器の吸収液温度がそれぞれに設定した所定の温度以下に下がった時に停止する構成としたため、簡単な構成であるにも拘らず稀釈運転時の消費エネルギーが減少し、これにより運転コストの確実な削減が可能になる。
　【００１０】
　そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。
　【００１１】
　また、吸収冷凍機の運転停止信号が入力されてからの経過時間を併用して、各ポンプの停止を制御する構成とした請求項２の発明においては、再生器の吸収液温度を監視する手段に異常を生じた場合にも、運転停止信号入力後の経過時間を計時することにより、稀釈運転を確実に終了させることができる。
　【００１２】
　【実施例】
　以下、本発明の一実施例を図面に基づいて詳細に説明する。
　図１に例示したものは二重効用吸収冷凍機であり、冷媒に水（Ｈ２Ｏ）、吸収剤（吸収液）に臭化リチウム（ＬｉＢｒ）水溶液を使用したものである。
　【００１３】
　図１において、１はガスバーナ１Ｂを備えた高温再生器、２は低温再生器、３は凝縮器、４は蒸発器、５は吸収器、６は低温熱交換器、７は高温熱交換器、８〜１２は吸収液配管、１５は吸収液ポンプ、１６〜１８は冷媒配管、１９は冷媒ポンプ、２０はガスバーナ１Ｂに接続したガス配管、２１はガスの流量を調節して加熱量を制御する加熱制御弁、２２は冷水配管（負荷配管）であり、それぞれは図１に示したように配管接続してある。
　【００１４】
　また、２５は冷却水配管であり、この冷却水配管２５の途中には吸収器熱交換器２６および凝縮器熱交換器２７を設けてある。さらに、２８は冷水配管２２の途中に設けた負荷ポンプ、２９は冷却水配管２５の途中に設けた冷却水ポンプであり、負荷ポンプ２８および冷却水ポンプ２９の容量は吸収液ポンプ１５および冷媒ポンプ１９より大きい。
　【００１５】
　３１は、高温再生器１に設置され、高温再生器１の内部にある吸収液（中間液）の温度（以下、高温再生器温度Ｔと云う）を検出して制御装置３２に出力する温度検出器である。
　【００１６】
　制御装置３２は、計時・記憶・演算・比較などの所要の機能を備えたマイクロコンピュータを内蔵しており、吸収冷凍機の運転停止信号が図示しないスイッチなどで入力されると、図２に示したように、先ず温度検出器３１による高温再生器温度Ｔの監視（検出）と、運転停止信号が入力されてからの経過時間ｔの計時を開始すると共に、加熱制御弁２１の開度を絞ってガスバーナ１Ｂの火力を抑える低燃焼制御の信号を出力するように構成してある。
　【００１７】
　また、制御装置３２は、温度検出器３１が検出する高温再生器温度Ｔが第１の所定温度Ｔ１（例えば、１２０℃）以下に下がると、所要の制御信号を出力して冷媒ポンプ１９および冷却水ポンプ２９の運転を停止し、高温再生器温度Ｔが第１の所定温度Ｔ１より低い第２の所定温度Ｔ２（例えば、１００℃）以下に下がると、所要の制御信号を出力して吸収液ポンプ１５の運転を停止するようにも構成してある。
　【００１８】
　また、制御装置３２は、経過時間ｔが第１の所定時間ｔ２を経過したときに、冷媒ポンプ１９および冷却水ポンプ２９が運転を継続していると、所要の制御信号を出力してこれらを停止し、経過時間ｔが第１の所定時間ｔ２より長い第２の所定時間ｔ４を経過したときに、吸収液ポンプ１５が運転していると、所要の制御信号を出力してこれを停止するようにも構成してある。
　【００１９】
　なお、第１の所定時間ｔ２は、正常運転時に温度検出器３１が検出する高温再生器温度Ｔが第１の所定温度Ｔ１以下に下がる時間より、盛夏でも多少長くなるように設定し、第２の所定時間ｔ４も、正常運転時に高温再生器温度Ｔが第２の所定温度Ｔ２以下に下がる時間より多少長くなるように設定する。
　【００２０】
　さらに、制御装置３２は、運転停止信号の入力直後にガスバーナ１Ｂの火力を絞る低燃焼制御を、第１の所定時間ｔ２より短い所定時間ｔ１（例えば、１分）だけ行い、その後は加熱制御弁２１を閉じて、高温再生器１での加熱を停止するように設けてある。また、冷媒ポンプ１９および冷却水ポンプ２９の運転停止から所定時間（例えば、１分）後に相当する所定時間ｔ３が経過したときに、所要の信号を出力して負荷ポンプ２８の運転を停止するようにも構成してある。
　【００２１】
　以下、上記構成の吸収冷凍機の動作について説明する。通常運転時には、従来の吸収冷凍機と同様に、例えば冷水配管２２から取り出す冷水の温度に基づいて、加熱制御弁２１の開度調節が行なわれ、高温再生器１における冷媒の蒸発分離を制御しながら、各ポンプ１５・１９・２８・２９が運転される。
　【００２２】
　そして、吸収冷凍機の運転管理者などが運転を停止させるため、例えば制御盤の停止スイッチ（共に図示せず）を操作し、所要の運転停止信号が出力されると、この所要の運転停止信号を受けた制御装置３２は予め定められた図２の要領に基づいて動作し、吸収冷凍機の稀釈運転を開始する。
　【００２３】
　すなわち、制御装置３２は温度検出器３１による高温再生器温度Ｔの監視と、経過時間ｔの計時を開始すると共に、加熱制御弁２１へ所要の開度信号を出力し、加熱制御弁２１の開度を絞ってガスバーナ１Ｂの火力を下げ、高温再生器１における冷媒の蒸発分離作用を低下させる。
　【００２４】
　そして、ガスバーナ１Ｂが低燃焼制御になってから所定時間ｔ１（例えば、１分）が経過すると、制御装置３２は加熱制御弁２１へ閉信号を出力し、ガスバーナ１Ｂの燃焼が停止する。
　【００２５】
　上記ガスバーナ１Ｂの低燃焼時、吸収液ポンプ１５・冷媒ポンプ１９・負荷ポンプ２８・冷却水ポンプ２９は運転を継続している。また、それぞれのポンプ１５・１９・２８・２９は、ガスバーナ１Ｂの燃焼停止後も運転を継続し、吸収液・冷媒・冷水・冷却水は何れも吸収冷凍機を循環する。
　【００２６】
　このように、ガスバーナ１Ｂの燃焼を停止し、高温再生器１における加熱作用を停止した後も、各ポンプ１５・１９・２８・２９が運転を継続するため、低温再生器２から流出する濃吸収液の濃度は次第に低下する。また、蒸発器４からは冷水が負荷へ供給されているため、高温再生器１および低温再生器２の温度は次第に低下する。
　【００２７】
　そして、温度検出器３１が検出する高温再生器温度Ｔが、第１の所定温度Ｔ１以下に下がると、制御装置３２は冷媒ポンプ１９および冷却水ポンプ２９へ停止信号を出力し、それぞれのポンプ１９および２９は運転を停止する。
　【００２８】
　冷媒ポンプ１９・冷却水ポンプ２９の運転が停止した後も、吸収液ポンプ１５および負荷ポンプ２８は運転を継続し、吸収液が高温再生器１、低温再生器２へ循環すると共に、負荷の冷水が蒸発器４に循環して稀釈運転が継続される。
　【００２９】
　さらに、冷媒ポンプ１９および冷却水ポンプ２９の運転停止から所定時間（例えば、１分）後に相当する所定時間ｔ３が経過すると、制御装置３２は負荷ポンプ２８へ停止信号を出力し、負荷ポンプ２８は運転を停止する。
　【００３０】
　負荷ポンプ２８が運転を停止した後も、吸収液ポンプ１５は運転を継続し、吸収液が吸収冷凍機を循環し、吸収液濃度はさらに低下する。
　【００３１】
　そして、温度検出器３１が検出する高温再生器温度Ｔが、第２の所定温度Ｔ２以下に低下すると、制御装置３２は吸収液ポンプ１５へ停止信号を出力し、このポンプの運転を停止する。
　【００３２】
　なお、温度検出器３１に不都合が生じ、温度検出器３１が検出する高温再生器温度Ｔが第１の所定温度Ｔ１以下にならなかった場合にも、第１の所定時間ｔ２が経過すると、制御装置３２は冷媒ポンプ１９および冷却水ポンプ２９へ停止信号を出力してそれぞれのポンプ１９および２９の運転を停止し、高温再生器温度Ｔが第２の所定温度Ｔ２以下にならない場合でも、第２の所定時間ｔ４が経過すると、吸収液ポンプ１５へ停止信号を出力してこれを停止させるので、稀釈運転を確実に実行して運転を終了することができる。
　【００３３】
　ところで、本発明は上記実施例に限定されるものではないので、特許請求の範囲に記載の趣旨から逸脱しない範囲で各種の変形実施が可能である。
　【００３４】
　【発明の効果】
　以上説明したように本発明になる吸収冷凍機の運転停止方法は、再生器の吸収液温度がそれぞれに設定した所定の温度以下に下がった時に各ポンプの運転を停止する構成であるので、簡単な構成であるにも拘らず稀釈運転時の消費エネルギーが減少し、これにより運転コストの確実な削減が可能になる。
　【００３５】
　そして、吸収液ポンプが冷却水ポンプおよび冷媒ポンプの停止温度より低い温度で停止するため、冷却水ポンプおよび冷媒ポンプの消費エネルギーを減少しながら、確実な稀釈運転が行える。
　【００３６】
　また、吸収冷凍機の運転停止信号が入力されてからの経過時間を併用して、各ポンプの停止を制御する構成とした請求項２の発明においては、再生器の吸収液温度を監視する手段に異常を生じた場合にも、運転停止信号入力後の経過時間を計時することにより、稀釈運転を確実に終了させることができる。
【図面の簡単な説明】
　【図１】
　装置の構成を示す説明図である。
　【図２】
　制御の一例を示す説明図である。
　【符号の説明】
　１　高温再生器
　１Ｂ　ガスバーナ
　２　低温再生器
　３　凝縮器
　４　蒸発器
　５　吸収器
　６　低温熱交換器
　７　高温熱交換器
　８〜１２　吸収液配管
　１５　吸収液ポンプ
　１６〜１８　冷媒配管
　１９　冷媒ポンプ
　２０　ガス配管
　２１　加熱制御弁
　２２　冷水配管
　２５　冷却水配管
　２６　吸収器熱交換器
　２７　凝縮器熱交換器
　２８　負荷ポンプ
　２９　冷却水ポンプ
　３１　温度検出器
　３２　制御装置